(57)【特許請求の範囲】
【請求項１】
可逆性熱変色機能を有するリライトシート表面を所定温度に加熱することで、該リライトシート表面の色を変色させ、印刷情報を該リライトシートに形成する印刷装置であって、
複数の印刷情報と印刷フォーマットとを記憶する記憶手段と、該記憶手段から印刷情報と印刷フォーマットを読み出す読み出し手段と、
前記リライトシートの端部に情報を記憶した記憶媒体が取り付けられ、
当該印刷装置には前記記憶媒体との間で情報の読み取り、及び／又は書き込みを行う読取・書込手段と、前記リライトシートを当該印刷装置に印刷のためセットした際前記リライトシートの記憶媒体と前記読取手段との間で通信が可能か否かを判断する通信可否判断手段とを設け、
前記記憶媒体の情報には前記リライトの色情報が記憶され、前記記憶手段には印刷情報と対応して色情報が記憶され、
前記通信可否判断手段が通信可と判断した場合には、前記読み出し手段により読み出された印刷情報に対応する色情報と前記リライトシートの色情報とを比較し、それぞれの色情報が同じである場合は前記読み出された印刷情報を前記セットされたリライトシートに印刷し、それぞれの色情報が異なると判断された場合には警告を報知し、印刷を開始しない処置・制御をし、該通信可否判断手段が通信不可と判断した場合、前記通信可と判断された場合と異なる所定の処置・制御を行なうことを特徴とする印刷装置。
【請求項２】
請求項１に記載の印刷装置において、
前記所定の処置・制御は、警告を報知し、前記印刷情報の印刷を開始しない処置・制御であることを特徴とする印刷装置。
【請求項３】
請求項１に記載の印刷装置において、
前記通信可と判断された場合と異なる所定の処置・制御は、前記読み出し手段で読み出された前記印刷情報が前記セットされたリライトシートの中心に１８０度回転された位置に形成される処置・制御であることを特徴とする印刷装置。
【請求項４】
請求項３に記載の印刷装置において、
前記リライトシートの記憶媒体には前記読取・書込手段から印刷回数を記録できるようになっており、
前記印刷データが前記セットされたリライトシートの中心に１８０度回転された位置に印刷されるよう印刷が開始し、前記通信可否判断手段が前記読取・書込手段と前記記憶媒体が通信可能と判断したとき前記読取・書込手段から前記記憶媒体に記録された印刷回数に印刷回数をカウントアップすることを特徴とする印刷装置。
【請求項５】
請求項１乃至４のいずれか１項に記載の印刷装置において、
前記記憶媒体にはリライトシートの加熱後の発色される色情報が記憶されており、前記記憶媒体の情報の読み出しを行う第二の読み取り手段を装置外に設け、該第二の読み取り手段で読み取った色情報を表示する表示手段を備えたことを特徴とする印刷装置。
【請求項６】
請求項１乃至５のいずれか１項に記載の印刷装置において、
前記リライトシートは少なくとも上下二層からなり、下層は複数の領域で異なる色が付されており、且つ、上層は所定加熱で無色に変色するリライトシートを用いることを特徴とする印刷装置。
【発明の詳細な説明】
【技術分野】
【０００１】
本発明は、所定温度に加熱することにより可逆性熱変色性機能を有したリライトシートの表面の色が変化することで、印刷情報を印刷でき、又、前記リライトシートを冷却することで元の色に戻り、繰り返してリライトシートに文字情報やイメージ情報を印刷する印刷装置に関するものである。
【背景技術】
【０００２】
従来から可逆性熱変色性機能を有するリライトシート（例えば、特許文献１乃至４）が開発されている。これらのリライトシート表面には所定の色の可逆性熱変色性顔料が塗布されており、該リライトシート表面をサーマルヘッド等で所定温度に加熱すると、シート表面の色とは異なる色に発色し、また前記発色させた温度とは異なる温度に冷却させたりすると前記発色を消色させ、元の色に戻すことができるようになっている。
【０００３】
このように、様々なシート表面の色のリライトシートを用いて、例えばスーパーマーケット等のＰＯＰシートとして利用することも考えられるが、お客に対するアピール効果を考慮することでそのリライトシートの表面の色毎に商品情報等の印刷情報が決められている場合がある。例えば、用紙の表面の色が赤のシートは、最も目立たせるバーゲンセールの商品等の情報を告知する為に使う場合等である。
【特許文献１】特開平１０−８６５４２号公報
【特許文献２】特許第３３０６６０９号公報
【特許文献３】特許第３３９６７８７号公報
【特許文献４】特開２００１−１５２０４１号公報
【発明の開示】
【発明が解決しようとする課題】
【０００４】
上記のようにリライトシートの表面の色に応じて印刷情報の内容を異ならせる場合、誤って異なった表面の色のリライトシートに印刷情報を印刷してしまう場合がある。特に、例えば１枚のリライトシートの表面に複数の領域でそれぞれ異なった顔料が塗布されていて、このリライトシートに印刷情報を印刷するようになっている場合、印刷装置に印刷のためリライトシートをその前後を逆にセットすると、ある決められた色の部分に印刷するように決められた印刷情報が異なる色の部分に印刷されるという問題が考えられる。また、リライトシート表面の色が単色の場合であっても、発色する色がリライトシートの領域によって異なる場合があるが、その場合は前記のリライトシートの表面の色が領域によって異なる場合と同じように、リライトシートの向きが逆にセットされると、決められた印刷情報が異なる色にて印刷されてしまうという問題が想定される。
【０００５】
本発明は上述の点に鑑みてなされたものでありその目的は、印刷情報を誤った色にて印刷することのない印刷装置を提供することにある。
【課題を解決するための手段】
【０００６】
上記課題を解決するため請求項１に記載の発明は、可逆性熱変色機能を有するリライトシート表面を所定温度に加熱することで、該リライトシート表面の色を変色させ、印刷情報を該リライトシートに形成する印刷装置であって、複数の印刷情報と印刷フォーマットとを記憶する記憶手段と、該記憶手段から印刷情報と印刷フォーマットを読み出す読み出し手段と、前記リライトシートの端部に情報を記憶した記憶媒体が取り付けられ、当該印刷装置には前記記憶媒体との間で情報の読み取り、及び／又は書き込みを行う読取・書込手段と、前記リライトシートを当該印刷装置に印刷のためセットした際前記リライトシートの記憶媒体と前記読取手段との間で通信が可能か否かを判断する通信可否判断手段とを設け、前記記憶媒体の情報には前記リライトの色情報が記憶され、前記記憶手段には印刷情報と対応して色情報が記憶され、前記通信可否判断手段が通信可と判断した場合には、前記読み出し手段により読み出された印刷情報に対応する色情報と前記リライトシートの色情報とを比較し、それぞれの色情報が同じである場合は前記読み出された印刷情報を前記セットされたリライトシートに印刷し、それぞれの色情報が異なると判断された場合には警告を報知し、印刷を開始しない処置・制御をし、該通信可否判断手段が通信不可と判断した場合、前記通信可と判断された場合と異なる所定の処置・制御を行なうことを特徴とする。なお、リライトシート上の記憶媒体の取付け位置の端部は、シートの中央以外の位置を意味するもので、シートの際に限定されるものではない。
【０００７】
請求項２に記載の発明は、請求項１に記載の印刷装置において、前記所定の処置・制御は、警告を報知し、前記印刷情報の印刷を開始しない処置・制御であることを特徴とする。
【０００８】
請求項３に記載の発明は、請求項１に記載の印刷装置において、前記通信可と判断された場合と異なる所定の処置・制御は、前記読み出し手段で読み出された前記印刷情報が前記セットされたリライトシートの中心に１８０度回転された位置に形成される処置・制御であることを特徴とする。
【０００９】
請求項４に記載の発明は、請求項３に記載の印刷装置において、前記リライトシートの記憶媒体には前記読取・書込手段から印刷回数を記録できるようになっており、前記印刷データが前記セットされたリライトシートの中心に１８０度回転された位置に印刷されるよう印刷が開始し、前記通信可否判断手段が前記読取・書込手段と前記記憶媒体が通信可能と判断したとき前記読取・書込手段から前記記憶媒体に記録された印刷回数に印刷回数をカウントアップすることを特徴とする。
【００１０】
請求項５に記載の発明は、請求項１乃至４のいずれか１項に記載の印刷装置において、  前記記憶媒体にはリライトシートの加熱後の発色される色情報が記憶されており、前記記憶媒体の情報の読み出しを行う第二の読み取り手段を装置外に設け、該第二の読み取り手段で読み取った色情報を表示する表示手段を備えたことを特徴とする。
【００１１】
請求項６に記載の発明は、請求項１乃至５のいずれか１項に記載の印刷装置において、  前記リライトシートは少なくとも上下二層からなり、上層は単色の色が付されていて、下層は複数の領域で異なる色が付されており、且つ、上層は所定加熱で無色に変色するリライトシートを用いることを特徴とする。
【発明の効果】
【００１３】
請求項１に記載の発明によれば、通信可否判断手段が通信可と判断した場合には、読み出し手段により読み出された印刷情報に対応する色情報とリライトシートの色情報とを比較し、それぞれの色情報が同じである場合は読み出された印刷情報をセットされたリライトシートに印刷し、それぞれの色情報が異なると判断された場合には警告を報知し、印刷を開始しない処置・制御をし、該通信可否判断手段が通信不可と判断した場合、前記通信可と判断された場合と異なる所定の処置・制御を行なうので、煩雑な手間がかからず誤った印刷を回避でき、無駄なリライトを抑えることが可能となる。また、リライトシートの向きに加えて、リライトシートの色情報を比較し、一致しない場合には印刷が開始されないので、印刷情報を誤った色情報にて印刷されることを防ぐことができる。
【００１４】
請求項２に記載の発明によれば、通信可否判断手段がリライトシートの記憶媒体と読取手段との間で通信不可と判断した場合、警告を報知し、印刷情報の印刷を開始しないので、間違った印刷を回避できると共に、無駄なリライトを抑えることが可能となる。
【００１５】
請求項３に記載の発明によれば、所定の処理・制御を読み出された印刷情報をセットされたリライトシートの中心に１８０度回転された位置に形成させる処理・制御とするので、リライトシートの向きを気にせず、印刷装置にセットして印刷しても、正しい印刷、即ち決められた地色に決められた印刷情報が印刷できる。
【００１６】
請求項４に記載の発明によれば、印刷データがセットされたリライトシートの中心に１８０度された位置に印刷されるよう印刷が開始し、通信可否判断手段が読取・書込手段と記憶媒体が通信可能と判断したとき読取・書込手段から記憶媒体に記録された印刷回数に印刷回数をカウントアップするので、リライトシートが逆向きにセットされても印刷回数の履歴をとることが可能となる。
【００１７】
請求項５に記載の発明によれば、第二の読み取り手段で読み取った色情報を表示する表示手段を備えているので、リライトシートの表面の色は、目で見た色で確認できるが、変色後の色は加熱前には見た目には確認できなく、そのような加熱後の色情報が表示手段に表示され、印刷する前に何色に変色するリライトシートなのかを確認することができる。
【００１８】
請求項６に記載の発明によれば、上層に単色の色が付され、下層に複数の領域で異なる色が付されており、且つ、上層は所定加熱で無色に変色するリライトシートを使用するので、加熱前はリライトシート全体が単色の色からなるシートで、シートの前後の区別が付きにくく、更に加熱後はシートの場所により発色する色が異なるようなシートであっても異なる向きで印刷され、イメージとは異なるリライトシートが生成されることを防ぐことができる。
【発明を実施するための最良の形態】
【００２０】
以下、本発明の実施の形態例を図面に基づいて詳細に説明する。初めに本実施形態例で使用するリライトシートについて説明する。上記特許文献１に開示されているようなベースシート表面に感温変色性熱溶融インク層が設けられているようなリライトシートで、例えばサーマルヘッドで６０℃くらいに加熱すると、インク層が無色に変色することで、ベースシートの色がこのリライトシートの表面の色として見えるようになる。また、例えばマイナス２０℃くらいに冷却するとインク層が元の色に戻ることで、リライトシートの表面の色は加熱前の色に戻るようになっている。従って、ベースシートの色を一枚のリライトシートの中で変えることで、リライトシートの表面の色、つまりインク層が単色であっても、異なった色の熱変色性記録像を形成することができる。
【００２１】
図１は本発明に係る印刷装置のシステム構成を示すブロック図である。図示するように印刷装置は制御部１０、ＲＦＩＤリーダ／ライタ２１、サーマルヘッド２２、通信部２３、モータ２４を備えている。また、制御部１０はＣＰＵ（中央処理装置）１１、ＲＯＭ（リードオンリーメモリ）１２、ＲＡＭ（ランダムアクセスメモリ）１３、操作部１４、表示部１５、ＨＤＤ等の記憶装置１６を備えている。上位装置１は通信部２３に接続され、該上位装置１の間で情報の送受をするようになっている。
【００２２】
ＣＰＵ１１はＲＯＭ１２に格納されたプログラムを実行し、各部を制御するようになっている。ＲＡＭ１３はＣＰＵ１１により各種のデータを記憶する。操作部１４は例えばキーボードやマウスを備え各種の操作データが入力されるようになっている。表示部はＣＰＵ１１の制御により各種データを表示する。ＲＦＩＤリーダ／ライタ２１は後に詳述するように、可逆性熱変色性顔料が塗布されたリライトシートの端部に取り付けられたＲＦＩＤ（非接触ＩＣ）の間で情報の送受（読み取り書き込み）を行うようになっている。サーマルヘッド２２は後に詳述するように印刷装置の本体に取り付けられ、ＣＰＵ１１の制御により印刷データを受け前記シートの所定部分を加熱し、シート表面の色を変色させ文字やイメージの印刷データを形成するようになっている。通信部２３は印刷装置本体との間でデータの送受を行い、モータ２４は印刷情報の印刷に応じて（同期して）リライトシートを送るモータ、記憶装置１６は後に詳述する商品データ等の印刷情報等を記憶するようになっている。
【００２３】
図２は本発明に係る印刷装置の概略構成を示す図である。印刷装置３０は文字データやイメージデータを印刷する印刷部にサーマルベッド２２を備え、リライトシート４０の先端部の所定の位置に取り付けられたＲＦＩＤ４１との間でデータの送受を行うＲＦＩＤリーダ／ライタ２１がサーマルヘッド２２の近傍の所定位置に設けられている。ＲＦＩＤリーダ／ライタ２１の位置については後述する。該ＲＦＩＤリーダ／ライタ２１はリライトシート４０の幅方向の全域（Ｌ２）をカバーするように長さ（Ｌ１）が設定されている。これにより、リライトシート４０の端部のどの位置にＲＦＩＤ４１が取付けられても、ＲＦＩＤリーダ／ライタ２１との通信は可能になる。
【００２４】
リライトシート４０は、例えば上下に区分され、上部のシート表面に赤色の可逆性熱変色性顔料が塗布され、下部のシート表面には青色の可逆性熱変色性顔料が塗布されている。サーマルベッド２２はモータ２４の回転によるリライトシート４０の移動に同期させてＣＰＵ１１の制御により制御部１０から送られてくる文字やイメージデータに基づいて、リライトシート４０の該文字やイメージデータが印刷される部分を所定温度（例えば６０℃）に加熱することにより、その部分の顔料が無色に変化することでベースシートの色がリライトシート４０の表面に形成され（例えば、赤色→黄色、青色→白色）、この変色部で文字やイメージデータがリライトシート４０形成され、文字データ等が印刷されたリライトシート４０’が排出される。なお、ベースシートの色は所望の色に設定することができ、シート表面のインク層の色と対象な色にすることで形成される文字等を強調させることができる。
【００２５】
上記のようにリライトシート４０の表面に塗布された可逆性熱変色性顔料に熱を加え、その部分を無色にさせることでベースシートの色をシート表面に形成させ、例えば図３に示すように、リライトシート４０の表面の上部の色が赤色の部分で「広告品  特選  メロン」という印刷データの部分をサーマルヘッド２２により熱を加えることで、シート表面の色が無色になり、例えばベースシートの黄色が現れ、黄色の前記印刷データが印刷されるようになる。又、リライトシート４０の表面の下部の色が青色の部分には「１コ  ￥１，０００」という印刷データの部分をサーマルヘッド２２により熱を加えると、該当部分シート表面の色が無色になり、例えばベースシートの色の白色が現われ、白色の文字が形成されるようになる。
【００２６】
このように様々な色のリライトシート４０を用いて、例えばスーパーマーケット等のＰＯＰシートとして利用する場合、上述のように、お客に対するアピール効果を考慮して、そのリライトシート４０の表面の色毎に商品データ等の印刷情報が決められている場合がある。例えば、図５に示すように「品名、値段、コメント、印刷フォーマット」の商品情報（印刷情報）毎にリライトシート４０の「色情報」が設定されている。ここでは一枚のリライトシート４０の表面の色を上下に区分して、例えば「赤が１」、「青が２」、「黄が３」というリライトシート４０の表面の色と、リライトシート４０の上部と下部とで何色の発色になるか（ベースシートは何色か）が設定されている。例えば、品番「００００１」ではシート表面の上部は赤色で発色する色は青、シート表面の下部は青色で発色する色は黄色ということを意味している。
【００２７】
また、リライトシート４０に取付けられているＲＦＩＤ４１には、図６に示すように各ＩＤを識別するＩＤ番号の他に色情報が記憶されている。例えばリライトシート４０の上部と下部とでリライトシート４０の表面の色が分かれているようなリライトシート４０の場合、その上下の色の情報と、上下の部分でのそれぞれ変色後の色情報が記憶されている。例えばＩＤ番号０００１は、リライトシート４０の表面の色が上下に分かれていて、上部は赤色、下部は青色が施されていて、上部／下部とも変色後は黄（ベースシートが黄色）が記憶されている。また、ＩＤ番号０００２のように、リライトシート４０の表面の色が赤の単色、変色される色がリライトシート４０の上部で白色、下部で黄色と異なるようにしてもよい。このようなリライトシート４０の場合、印刷するリライトシート４０の表面の色は赤一色なので、一見リライトシート４０の向きは関係無いように思われるが、変色される色が異なるのでリライトシート４０の向きが異なると、品名や値段等が異なった色に変色されることになってしまう。
【００２８】
上記のようにシート表面の色の異なる複数の可逆性熱変色性顔料が塗布されたリライトシート４０を図２に示すように、その方向が正しく（赤→青の順に）セットすれば問題がないが、印刷者が間違って図４の一点鎖線で示すように、逆方向、即ち青→赤の順にセットすることがある。この場合、決められたシート表面の色の部分に印刷すべき印刷情報が異なるシート表面の色部に印刷されることになり、お客に対するアピール効果が低下するという問題がある。このような場合、リライトシート４０を、例えば−２０℃に冷却し、元のリライトシート４０の表面の色に戻して印刷する方法もあるが、このような可逆性熱変色性顔料が塗布されたリライトシート４０のリライト回数は所定の回数（例えば５００回）に制限されており、上記のような誤った印刷を行うとリライト回数が多くなり、リライトシート４０のリライト寿命を短くするという問題がある。
【００２９】
リライトシート４０のセットについて説明する。図７は印刷装置のプリンタ部３１のサーマルヘッド２２、プラテンローラ３３、ＲＦＩＤリーダ／ライタ２１の位置関係を示す図で、同図（ａ）リライトシート４０を一枚ずつセットして印刷する場合、同図（ｂ）はリライトシート４０が束になっている場合を示す。リライトシートを一枚ずつセットする場合は、他のリライトシート４０のＲＦＩＤ４１の影響を受けることが無いので、図７（ａ）に示すように、プリンタ部３１の給紙側で載置部３２の近傍に ＲＦＩＤリーダ／ライタ２１を配置するようにすることで、一枚のリライトシート４０を載置部３２に置くことでセンサー（図示せず）がＯＮになり、リライトシート４０のＲＦＩＤ４１とＲＦＩＤリーダ／ライタ２１とが通信可能かどうかを判断することになる。
【００３０】
複数枚のリライトシート４０が束になっている場合は、図７（ａ）に示すように、ＲＦＩＤリーダ／ライタ２１を載置部３２の近傍に配置すると、ＲＦＩＤリーダ／ライタ２１と複数枚のリライトシート４０のＲＦＩＤ４１とが通信することになり、正しいリライトシート４０との通信ができなくなる。そこで、図７（ｂ）に示すように、ＲＦＩＤリーダ／ライタ２１、プラテンローラ３３及びサーマルヘッド２２をプリンタ部３１の内部に配置する。そして、印刷の発行操作（印刷キーを押す等、）をすることで、載置部３２に置かれているリライトシート４０の束から最下部の一枚のリライトシート４０がプリンタ部３１の内部に挿入され、センサー（図示せず）がＯＮになり、このリライトシート４０のＲＦＩＤ４１とＲＦＩＤリーダ／ライタ２１とが通信可能かどうかを判断することになる。これにより載置部３２に複数枚のリライトシート４０が置かれているような場合でも、確実にこれら印刷しようとするリライトシート４０のＲＦＩＤ４１とＲＦＩＤリーダ／ライタ２１とが通信可能かどうかを判断することが可能になる。
【００３１】
上記の場合で、通信不可と判断され、印刷をしない場合、プリンタ部３１へ挿入された一枚のリライトシート４０は、印刷されずにプラテンローラ３３とサーマルヘッド２２の間を通って排出されるようになる。従って、リライトシート４０をセットするとは、図７（ａ）のようにリライトシート４０一枚が載置部３２に載置された場合は勿論、図７（ｂ）に示すように、載置部３２に複数枚のリライトシート４０が載置されて、例えば印刷キーが押下されて印刷されるリライトシート４０が一枚ずつプリンタ部３１に挿入されるような場合、いずれの場合も意味し、リライトシート４０のＲＦＩＤ４１がＲＦＩＤリーダ／ライタと通信可能な範囲に位置されることを意味する。
【００３２】
通常リライトシート４０のＲＦＩＤ４１はシートの先端部の所定の位置に取り付けられており、図２に示すように、印刷装置３０にリライトシート４０が正しい方向にセット（赤→青の順にセット）されれば、ＲＦＩＤリーダ／ライタ２１とリライトシート４０のＲＦＩＤ４１の間では通信が可能となるが、図４の一点鎖線で示すように、リライトシート４０を逆方向にセット（青→赤の順にセット）された場合、ＲＦＩＤリーダ／ライタ２１とＲＦＩＤ４１との間では通信が不可能となる。ここではこのことを利用して、ＲＦＩＤリーダ／ライタ２１とＲＦＩＤ４１との間で通信が可能な場合は、リライトシート４０が正しい方向にセットされているとして、印刷すべき印刷情報をリライトシート４０に印刷している。そしてＲＦＩＤリーダ／ライタ２１とＲＦＩＤ４１との間で通信が不可の場合は、リライトシート４０が逆方向にセットされているとして、下記の処置・制御の何れかを行なう。尚、リライトシート４０のＲＦＩＤ４１の位置は先端部が用紙中心方向へずれた場所に位置するようになっていても良い。つまり、上記リライトシート４０がセットされた際にリライトシート４０のＲＦＩＤ４１と、ＲＦＩＤリーダ／ライタ２１とが通信可能になる位置にＲＦＩＤ４１がリライトシート４０上に位置していれば良い。
【００３３】
（１）警告（リライトシート４０が逆方向にセットされている旨の警報）を表示部１５に表示し、印刷情報の印刷を開始しない。
（２）印刷データ記憶手段から読み出された印刷データと印刷フォーマットとをセットされたリライトシート４０の中心に１８０度回転させて印刷する。
【００３４】
印刷装置の記憶装置１６（図１参照）には印刷情報として、図５に示す品番に対応する印刷データとしての「品名」と、「値段」と、「コメント」等を有し、「印刷フォーマット」、「色情報」等が記憶されている。印刷者は印刷のため操作部１４の所定の操作により「品番」を選択し、該品番に対応する「印刷データ」と「印刷フォーマット」と「色情報」等のデータが読み出される。該読み出したデータはＲＡＭ１３に格納される。また、印刷者は印刷のため所定のリライトシート４０を印刷装置３０にセットし、リライトシート４０が図２に示すように正しい方向にセットされている場合、ＲＦＩＤリーダ／ライタ２１とリライトシート４０に取り付けたＲＦＩＤ４１との間では通信が可能であるから、上記ＲＡＭ１３に格納している選択された品番に対応する商品テータを読み出して印刷する。
【００３５】
なお、ＲＦＩＤリーダ／ライタ２１とリライトシート４０に取付けられたＲＦＩＤ４１とが通信するときに、図１のＲＡＭ１３に格納されているデータの色情報とＲＦＩＤ４１に記憶されている色情報、つまりそれぞれのリライトシート４０の表面の色や変色後の色とを比較し一致しない場合は、印刷しないように制御してもよい。
【００３６】
印刷者が誤って印刷のため所定のリライトシート４０を印刷装置３０に図４の一点鎖線で示すように逆方向にセットした場合、ＲＦＩＤリーダ／ライタ２１とリライトシート４０の通信が不可であるから、この場合、上記（１）の処置・制御を行なうか、（２）の処置・制御を行なう。（２）の処置・制御はＲＦＩＤリーダ／ライタ２１とリライトシート４０のＲＦＩＤ４１とが通信不可と判定された場合、上記品番で呼び出してＲＡＭ１３に格納されている「品名」、「値段」、「コメント」等の印刷データとその印刷フォーマットをリライトシート４０の中心に１８０度回転させて印刷する。そしてこの場合、印刷が終了して、リライトシート４０の後端（実際はリライトシート４０の先端）がＲＦＩＤリーダ／ライタ２１の近傍に達し、ＲＦＩＤリーダ／ライタ２１とリライトシート４０のＲＦＩＤ４１とが通信が可能となったとき、ＲＦＩＤリーダ／ライタ２１からＲＦＩＤ４１の所定の領域に記録されている印刷回数を１だけカウントアップする。
【００３７】
図８は本発明に係る印刷装置で可逆性熱変色性顔料が塗布されたリライトシート４０に印刷データを印刷する場合で一枚ずつのリライトシート４０を載置部３２に置き印刷される場合の例の処理フロー例を示す図である。先ず印刷装置３０に印刷データを印刷するためリライトシート４０をセットする（図２、図４及び図７（ａ）参照）（ステップＳＴ１）。次にリライトシート４０が所定位置にセットされると、センサー（図示せず）がＯＮとなり、ＲＦＩＤリーダ／ライタ２１から、ＲＦＩＤ４１へポーリング送信され、リライトシート４０のＲＦＩＤ４１とＲＦＩＤリーダ／ライタ２１との間で情報の通信が可能か否かが判断される（ステップＳＴ２）。ＹＥＳの場合、操作部１４のキー入力により、例えば００００１の品番を入力すると（ステップＳＴ３）、記憶装置１６に記憶されている図５に示す印刷データから、品名ＡＡＡ、値段１００、コメント□□□□、印刷フォーマット１、色情報として、上部が１、下部が２、上／変色が３、下／変色が３のデータが読み出される。
【００３８】
印刷フォーマットは、一枚のリライトシート４０の上において、どのテータをどの位置に印刷させるかのレイアウトを予め決めた印刷フォーマットファイルを有し、該ファイルから使用する印刷フォーマットが選択され設定される。この場合は印字フォーマット番号１が選択され設定される。この場合は印字フォーマット番号１が選択されている。色情報としては、１は赤を、２は青を、３は黄を、４は白を意味しており、上部、下部は一枚のリライトシート４０の表面の、上部と下部の色を表している。また、上／変色、下／変色はリライトシートの上部、下部それぞれの変色後の色をあらわしている。
【００３９】
リライトシート４０に印刷し、ＲＦＩＤ４１の所定の領域に記録されている印刷回数を１だけカウントアップする（ステップＳＴ４）。一方ステップＳＴ２でＮＯ、即ち通信が不可能の場合、操作部１４のキー入力、例えば００００１の数字キーと品番キーとを入力することで、品番００００１に該当する「品名」、「値段」、「コメント」等の印刷データ、「印刷フォーマット」とを呼び出し（ステップＳＴ５）、印刷のためにビットマップに展開された印刷データをリライトシート４０の中心に１８０度回転し（ステップＳＴ６）、リライトシート４０に印刷する（ステップＳＴ７）。
【００４０】
上記のようにリライトシート４０の所定の位置に取り付けたＲＦＩＤ４１とＲＦＩＤリーダ／ライタ２１との間で情報の通信が不可能な場合は、印刷装置３０にリライトシート４０が逆方向にセットされていると判断されるので、上記のように印刷データ、印刷フォーマットをリライトシート４０を中心に１８０度回転することにより、リライトシートの向きが逆の場合であってもエラーメッセージ等が報知されて、印刷が停止することなしに決められた地色に決められた商品の印刷データが正しく印刷できる。
【００４１】
特にリライトシート４０の表面の色が上部と下部等の複数の色の領域からなり、それぞれの色が異なるような場合、又はリライトシートの表面の色が単色であっても、ベースシートの色が異なることで、サーマルヘッド２２により加熱された場合に異なった色にて変色するような場合、或いは上記２つで組み合わされた場合に有効である。
【００４２】
以上本発明の実施形態を説明したが、本発明は上記実施形態に限定されるものではなく、特許請求の範囲、及び明細書と図面に記載された技術的思想の範囲内において種々の変形が可能である。例えば、リライトシート４０に印刷する印刷情報は印刷データに限定されるものではなく、イメージデータでもよい。また、可逆性熱変色性顔料が塗布されたシート、即ちリライトシートは特許文献１に記載されたものでも、特許文献２乃至４のいずれに記載されたものでも、更に他のリライトシートでもよい。また、別途冷却ボックスを設け、該冷却ボックスに加熱により地色が変色したリライトシートを入れ冷却することにより、元の地色に戻すようにしてもよい。また、リライトシート４０に取り付けるＲＦＩＤ４１の位置はリライトシート４０を印刷装置３０に正しくセットした時点で印刷装置のＲＦＩＤリーダ／ライタ２１と通信可能な位置に設定すればどの位置でもよい。
【００４３】
また、図１の制御部１０をパーソナルコンピュータとし、該パーソナルコンピュータで、ＲＦＩＤリーダ／ライタ２１、サーマルヘッド２２、通信部２３、モータ２４を制御するようにしてもよい。また、このパーソナルコンピュータと上位装置１とが通信可能で、その上位装置１より印刷データや印刷フォーマット等のデータをダウンロードするように構成してもよい。
【００４４】
また、リライトシート４０は、図９（ａ）、（ｂ）に示すように、上下に区分して地色の異なる可逆性熱変色性顔料を塗布する場合だけではなく、図１０（ａ）に示すようにシートを中央で左右に区分し、それぞれにリライトシート表面の色の異なる（ここでは赤、青）可逆性熱変色性顔料を塗布したものでもよく、また図１０（ｂ）に示すように、シートを対角線上に上下区分し、それぞれにシート表面の色の異なる（ここでは赤、青）可逆性熱変色性顔料を塗布したものでもよい。要は広告、或いはアピール効果を考慮して地色の異なる可逆性熱変色性顔料の種々の配置が可能となる。
【００４５】
また、印刷フォーマットは、品番に対して記憶させるのではなく、印刷データと印刷フォーマットを別々に読み出すようにしてもよい。また、印刷する際に、リライトシート４０のＲＦＩＤ４１に読み出された印刷データや印刷フォーマット等を書き込むようにしてもよい。
【００４６】
また、装置内のＲＦＩＤリーダ／ライタ２１とは別にＲＦＩＤリーダ／ライタを、装置外の例えば表示部の側に配置し、リライトシート４０をセットする前に、当該リライトシート４０のＲＦＩＤ４１に記憶されている発色後の色情報を読み出し、該発色後の色情報を表示部に表示するようにしてもよい。これにより、印刷前にリライトシート４０の発色の確認することができる。ＲＦＩＤリーダ／ライタ２１の場所は問わない。例えば有線で別体のようにしてもよい。
【００４７】
また、上記実施形態では、リライトシート４０はインク層とベースシート層とからなり、サーマルヘッド２２によって加熱することでインク層の該当部が、透明になることでベースシート層の色があたかもシート表面の色のように形成されるタイプのリライトシート４０を用いたが、リライトシート４０はこれに限らず加熱することで例えばインク層自体が、所望の色に変色するようなリライトシートを用いてもよい。また、リライトシートの表面や変色の色は問わない。また、図７（ａ）、（ｂ）でリライトシート４０がセットされることで、不図示のセンサーがＯＮになりＲＦＩＤ４１とＲＦＩＤリーダ／ライタとが通信可能かどうかを判断するようにしたが、上記センサーを設けず、図７（ａ）でリライトシート４０を載置部３２に置き、通信を開始するキーを操作することで通信可能かどうかを判断するようにしても良い。この場合、同図（ｂ）では印刷キーを押下することで決められた距離だけ印刷されるリライトシート４０一枚が装置内に進入し、その後に（ａ）同様に通信を開始するキー操作をすることで通信可能かどうかを判断するようにしても良い。
【図面の簡単な説明】
【００４８】
【図１】本発明に係る印刷装置のシステム構成を示すブロック図である。
【図２】本発明に係る印刷装置にリライトシートをセットした状態を示す平面図である。
【図３】本発明に係る印刷装置でリライトシートに表品データを印刷した状態を示す図である。
【図４】本発明に係る印刷装置にリライトシートをセットし印刷した状態を示す図である。
【図５】本発明に係る印刷装置の記憶装置に記憶される印刷情報と色情報例を示す図である。
【図６】リライトシートのＲＦＩＤに記憶されている情報例を示す図である。
【図７】本発明に係る印刷装置のプリンタ部の内部概略構成を示す図である。
【図８】本発明に係る印刷装置の印刷装置でリライトシートに商品データを印刷する場合の処理フローを示す図である。
【図９】リライトシートの例を示す図である。
【図１０】リライトシートの例を示す図である。
【符号の説明】
【００４９】
１        上位装置
１０      制御部
１１      ＣＰＵ
１２      ＲＯＭ
１３      ＲＡＭ
１４      操作部
１５      表示部
１６      記憶装置
２１      ＲＦＩＤリーダ／ライタ
２２      サーマルヘッド
２３      通信部
２４      モータ
３０      印刷装置
３１      プリンタ部
３２      載置部
３３      プラテンローラ
４０      リライトシート
４１      ＲＦＩＤ
【図１】
0004645445.tif 000002
【図２】
0004645445.tif 000003
【図３】
0004645445.tif 000004
【図４】
0004645445.tif 000005
【図５】
0004645445.tif 000006
【図６】
0004645445.tif 000007
【図７】
0004645445.tif 000008
【図８】
0004645445.tif 000009
【図９】
0004645445.tif 000010
【図１０】
0004645445.tif 000011